(57)【要約】【課題】表示パネルの固定部分を少なくすることができ、かつ表示パネルを安定した状態で略環状に設置することができる表示装置を提供すること。【解決手段】表示装置１は、略筒状の筒部３１１を有するフレーム３と、可撓性を有する帯状の表示パネル５とを備えている。また、表示装置１は、略筒状に形成され、筒部３１１に嵌め込まれた中枠４を備えている。表示パネル５は、中枠４の外周面に沿って設置されるので、略環状に設置される。また、表示パネル５は、下面が中枠４に当接するので、安定した状態で設置される。この際、表示パネル５の下面が中枠４に当接するので、表示パネル５の固定部分を少なくして設置することができ、固定することによって表示パネル５に加わる力を低減することができる。従って、表示パネル５の歪みを抑制でき、画質の劣化を防止できる。【選択図】図２
2008191256.tif 000002
【特許請求の範囲】
【請求項１】
略筒状の筒部を有するフレームと、
可撓性を有する帯状の表示パネルと、
略筒状に形成され、前記筒部に嵌め込まれた中枠とを備え、
前記中枠の外周面に沿って前記表示パネルが設置されている
ことを特徴とする表示装置。
【請求項２】
請求項１に記載の表示装置において、
前記中枠は、周方向の一部が分断されて弾性変形可能に形成されている
ことを特徴とする表示装置。
【請求項３】
請求項１または請求項２に記載の表示装置において、
前記中枠の外周面には、一対の溝を備えて前記表示パネルの長手方向の各端部をスライド可能に保持する保持部が設けられ、
前記表示パネルは、長手方向の略中央部分が前記中枠に接着されているとともに、長手方向の両端部が前記保持部に保持されている
ことを特徴とする表示装置。
【請求項４】
請求項１から請求項３のいずれかに記載の表示装置において、
前記中枠の外周面には、前記表示パネルの長手方向一端側が突き当てられるパネル当接部が設けられているとともに、前記中枠の内側と外側とを連通し、かつ前記表示パネルの長手方向他端側を差し込み可能な隙間が形成されている
ことを特徴とする表示装置。
【請求項５】
請求項１から請求項４のいずれかに記載の表示装置において、
前記フレームの前記筒部の外周面には、面外方向に突出する突出部が設けられ、
前記中枠の内周面における前記突出部に対応した位置には、前記突出部を収納可能な溝が設けられている
ことを特徴とする表示装置。
【請求項６】
請求項５に記載の表示装置において、
前記フレームは、胴と、蓋部材とを備え、
前記胴は、前記筒部と、前記筒部の軸方向一端側から外側に突出する鍔部とを備え、
前記筒部の軸方向他端側には、複数の前記突出部が設けられ、前記各突出部には、ねじ穴が形成され、
前記蓋部材は、板状に形成され、前記各ねじ穴に対応した位置には孔が形成され、前記突出部が設けられた前記筒部の他端側に、前記鍔部と対向するようにねじ固定されている
ことを特徴とする表示装置。
【発明の詳細な説明】
【技術分野】
【０００１】
本発明は、表示装置に関する。詳しくは、略筒状に形成され、外周面に沿って表示パネルが設置された表示装置に関する。
【背景技術】
【０００２】
近年、腕などに装着する略筒状の表示装置として、フレームの外周面に沿って例えば電気泳動ディスプレイパネルなどの薄型の表示パネルが設置された表示装置が開発されている（例えば、特許文献１参照）。
この特許文献１に記載の表示装置では、表示パネル（表示ユニット）は、当該表示装置を駆動するための各種電子部品が配置されたフレキシブル基板とコネクタ部により接続されている。これら表示パネルおよびフレキシブル基板はコネクタ部で折り返され、フレキシブル基板は、ボビン状に形成されたフレームの外周面上に直接設置され、表示パネルは、フレームに挟持されてフレキシブル基板の上方に浮いた状態で設置されている。
【０００３】
【特許文献１】特開２００５−２５０４４２号公報
【発明の開示】
【発明が解決しようとする課題】
【０００４】
ところで、例えば電気泳動ディスプレイパネルなどの薄型の表示パネルは、歪みを有した状態で設置されると、当該歪みにより画質が劣化するおそれがある。このため、外周面に沿って薄型の表示パネルが設置される表示装置では、当該表示パネルを、極力無駄な力で押さえることなく、かつ安定した状態で設置することが求められている。
この点、前記特許文献１に記載の表示装置では、表示パネルを浮かせた状態で略環状、かつ安定した状態となるように設置しなければならないため、例えば全周に亘って表示パネルの幅方向両端をレール等で挟持することとなるが、この場合、環状に変形した表示パネルの復元力を、レールによって全周に亘って抑えつけることになるので、表示パネルに歪みが生じやすく、画質が劣化するおそれがあった。
【０００５】
本発明の目的は、表示パネルの固定部分を少なくすることができ、かつ表示パネルを安定した状態で略環状に設置することができる表示装置を提供することである。
【課題を解決するための手段】
【０００６】
本発明の表示装置は、略筒状の筒部を有するフレームと、可撓性を有する帯状の表示パネルと、略筒状に形成され、前記筒部に嵌め込まれた中枠とを備え、前記中枠の外周面に沿って前記表示パネルが設置されていることを特徴とする。
【０００７】
本発明によれば、表示パネルは、略筒状の中枠の外周面に沿って設置され、下面が中枠に当接するので、表示パネルを安定した状態、かつ略環状に設置することができる。
また、表示パネルの下面が中枠に当接するので、例えば表示パネルの両端部を両面テープ等で固定するだけで表示パネルを安定した状態で設置することができ、固定部分を少なくして設置することができる。従って、固定することによって表示パネルに加わる力を抑えることができ、歪みを抑制できる。なお、表示パネルを駆動する駆動回路部（特許文献１のフレキシブル基板に相当）は、例えば中枠と筒部との間に収納すればよい。
【０００８】
本発明の表示装置では、前記中枠は、周方向の一部が分断されて弾性変形可能に形成されていることが好ましい。
【０００９】
ここで、製造等でのばらつきにより、中枠とフレームの筒部との嵌め合いがきつくなってしまった場合、中枠を筒部に無理やり嵌め込むと、中枠に歪みが生じ、ひいては表示パネルに歪みが生じて画質が劣化してしまうおそれがある。また、無理やり中枠を嵌め込むことにより、中枠が割れてしまうおそれがある。
この点、本発明によれば、中枠は、周方向の一部が分断されて弾性変形可能に形成され、分断部分の間隔を拡げることが可能となっているので、製造等でのばらつきにより、中枠と筒部との嵌め合いがきつくなってしまっても、容易に中枠を筒部に嵌め込むことができる。従って、中枠を無理やり筒部に嵌め込むことによる中枠、ひいては表示パネルの歪みを抑制できる。また、中枠の割れを防止することができる。
加えて、中枠は、周方向の一部が分断されて弾性変形可能に形成されているので、表示装置の落下等により加わる衝撃や振動を吸収することができ、衝撃や振動による表示パネルへの影響を抑制することができる。
【００１０】
本発明の表示装置では、前記中枠の外周面には、一対の溝を備えて前記表示パネルの長手方向の各端部をスライド可能に保持する保持部が設けられ、前記表示パネルは、長手方向の略中央部分が前記中枠に接着されているとともに、長手方向の両端部が前記保持部に保持されていることが好ましい。
【００１１】
なお、表示パネルの中央部分を中枠に接着する方法としては、例えば両面テープや接着剤を用いた方法を挙げることができる。
ここで、例えば、一対の溝を備えた保持部が中枠の全周に亘って設けられていた場合、環状に変形させられて復元しようとする表示パネルを、全周に亘って抑えつけることとなるので、表示パネルに歪みが生じやすく、画質が劣化してしまうおそれがある。
この点、本発明によれば、保持部は表示パネルの両端部および中央部分を固定し、両端部および中央部分の間を自由な状態にすることができるので、両端部および中央部分を固定することによりこれらの間の部分に例えば圧縮力がかかっても、これらの間の部分が撓むことで歪みを抑えることができる。
また、表示パネルの両端部のみを固定した場合には、復元力のため、表示パネルの特に中央部分が中枠から離れやすいが、本発明では、両端部に加えて中央部分も固定するので、表示パネルを中枠に十分に密着させて設置することができ、より表示パネルを安定した状態で設置することができる。
加えて、この際、中央部分を両面テープ等で中枠に接着固定するので、溝を備えた保持部で中枠に固定することに比べ、表示パネルを押さえる力を小さすることができ、歪みをより抑えることができる。
【００１２】
本発明の表示装置は、前記中枠の外周面には、前記表示パネルの長手方向一端側が突き当てられるパネル当接部が設けられているとともに、前記中枠の内側と外側とを連通し、かつ前記表示パネルの長手方向他端側を差し込み可能な隙間が形成されていることが好ましい。
【００１３】
なお、中枠の周方向の一部が分断されている場合には、「中枠の内側と外側とを連通し、かつ表示パネルの長手方向他端側を差し込み可能な隙間」とは、中枠の周方向の端部間に形成された隙間であってもよいし、中枠に形成されたスリットであってもよい。
本発明によれば、パネル当接部が設けられているので、表示パネルの一端側を当接部に突き当てることで、容易に中枠、ひいてはフレームに対して表示パネルを位置決めすることができる。
また、中枠には、表示パネルを差し込み可能な隙間が形成されているので、製造等でのばらつきにより、表示パネルが若干長く形成されていても、その分を、当該隙間に差し込み、当該隙間部分や、中枠と筒部との間に配置することができる。従って、表示パネルをより十分に中枠に密着させて設置することができる。
【００１４】
本発明の表示装置では、前記フレームの前記筒部の外周面には、面外方向に突出する突出部が設けられ、前記中枠の内周面における前記突出部に対応した位置には、前記突出部を収納可能な溝が設けられていることが好ましい。
【００１５】
本発明によれば、中枠の内周面における筒部の突出部に対応した位置には、前記突出部を収納可能な溝が設けられているので、この溝に突出部を嵌め込むことで、容易にフレームに対して中枠、ひいては表示パネルの位置決めを行うことができる。
また、中枠の内周面に溝が設けられているので、中枠が分断されている場合には、より中枠が拡がりやすくなり、一層筒部に中枠を嵌め込みやすくなる。
【００１６】
本発明の表示装置では、前記フレームは、胴と、蓋部材とを備え、前記胴は、前記筒部と、前記筒部の軸方向一端側から外側に突出する鍔部とを備え、前記筒部の軸方向他端側には、複数の前記突出部が設けられ、前記各突出部には、ねじ穴が形成され、前記蓋部材は、板状に形成され、前記各ねじ穴に対応した位置には孔が形成され、前記突出部が設けられた前記筒部の他端側に、前記鍔部と対向するようにねじ固定されていることが好ましい。
【００１７】
ここで、「ねじ穴」とは、突出部を貫通しないねじ穴、および貫通するねじ穴（孔）の両方の意味を含む。
本発明によれば、突出部が中枠を位置決めする役割を果たすとともに、蓋部材を固定する役割をも果たすので、構成を簡素化できる。
【発明の効果】
【００１８】
本発明の表示装置によれば、表示パネルの固定部分を少なくすることができ、かつ表示パネルを安定した状態で略環状に設置することができる。
【発明を実施するための最良の形態】
【００１９】
以下、図面を参照して本発明の一実施形態を詳述する。
〔１．全体構成〕
図１は、本実施形態に係る時計１の斜視図である。
本実施形態の表示装置としての時計１は、図１に示すように、円筒状に形成され、時刻や日付を表示する電気泳動表示パネル５が外周面に沿って配置されている。この時計１は、腕に装着するブレスレットタイプの時計となっている。
【００２０】
図２は、時計１の分解斜視図である。
時計１は、図２に示すように、略円筒状のフレーム３と、フレーム３に嵌め込まれる略円筒状の中枠４と、前記表示パネル５およびスイッチ基板９４を有し中枠４に設置される表示モジュール２と、表示パネル５を覆う円筒状の透光部材としてのカバーガラス６とを備えて構成されている。なお、図２中の軸線Ａは、これらフレーム３、中枠４、表示モジュール２、およびカバーガラス６の仮想中心軸である。
【００２１】
フレーム３は、図２に示すように、胴３１と、蓋部材としての裏蓋３２とを備えて構成されている。
胴３１は、筒部としての円筒部３１１と、この円筒部３１１の一方の端縁から径方向外側に突出する鍔部３１２とを含んで構成され、断面略Ｌ字状に形成されている。
円筒部３１１の他方の端縁には、当該端縁から径方向外側に突出する複数の突出部３１３が形成されている。これら各突出部３１３には、それぞれねじ孔３１４が形成されている。
【００２２】
裏蓋３２は、板状に形成され、円筒部３１１の内周形状と同寸法かつ同形状の内周形状を有するとともに、鍔部３１２の外周形状と同寸法かつ同形状の外周形状を有している。また、突出部３１３の各ねじ孔３１４に対応した位置には、孔３２１が形成されている。この裏蓋３２は、孔３２１を介してねじ孔３１４に螺合される複数のネジ３３により、円筒部３１１に締結される。
中枠４は、詳しくは後述するが、当該中枠４に表示モジュール２が取り付けられた後に、フレーム３に嵌め込まれ、裏蓋３２と鍔部３１２とによって挟持される。
カバーガラス６は、裏蓋３２と鍔部３１２とによって挟持され、表示パネル５を覆う。
【００２３】
〔２．表示モジュールおよび駆動回路部の構成〕
図３は、表示モジュール２の平面図、図４は、表示モジュール２の縦断面図である。なお、図３、図４では、駆動回路部７およびスイッチ基板９４は、図２と比べて短く描いている。
表示モジュール２は、図３に示すように、駆動回路部７と、作業者による操作ボタン９１（図１１参照）の押圧によりタクトスイッチ９３が押圧されることによって、駆動回路部７に入力信号を送る詳しくは後述するスイッチ基板９４と、駆動回路部７により駆動を制御されて時刻等を表示する表示パネル５とを備えて構成されている。これら駆動回路部７、スイッチ基板９４、および表示パネル５は、別個に製造されている。駆動回路部７および表示パネル５は、異方性導電膜（ＡＣＦ；Anisotropic Conductive Film）などによる配線部材Ｃ１で接続され、駆動回路部７およびスイッチ基板９４は、同様の配線部材Ｃ２で接続されている。駆動回路部７およびスイッチ基板９４は、ポリイミドやポリエステルなどの可撓性を有する樹脂から形成されたフレキシブル基板となっている。
【００２４】
表示モジュール２は、図４に示すように、表示パネル５と駆動回路部７とを接続する配線部材Ｃ１の部分で折り返される。そして、駆動回路部７は、図４の二点鎖線で示すように、表示パネル５の裏側に向かって反転した状態で設置される。駆動回路部７には、図３に示すように、時計１全体を制御する制御用コントローラ７１と、表示パネル５の駆動装置としてのドライバＩＣ７２と、水晶発信回路素子７３とが実装されている。
【００２５】
〔３．電気泳動表示パネルの構成〕
表示パネル５は、図４に示すように、表示基板５１と、透明基板５２と、表示基板５１および透明基板５２の間に設けられた電気泳動層５３とを含んで構成されている。これら表示基板５１および透明基板５２は、ポリイミドやポリエステルなどの可撓性を有する樹脂から形成されたフレキシブル基板となっている。表示パネル５は耐湿シート５４により密封され、電気泳動層５３への水の浸入が防がれている。
【００２６】
図５は、表示パネル５の構成を示す模式図である。
図５に示すように、表示基板５１の上面には、各セグメント５５（図３参照）の形状と等しい形状のセグメント電極５１０が、各セグメント５５に対応する位置ごとに設けられている。
透明基板５２の裏面（表示基板５１との対抗面）には、略全体に亘ってＩＴＯ（Indium Tin Oxide）などによって構成される透明な共通電極５２０が設けられている。共通電極５２０は、各セグメント電極５１０共通の電極である。
【００２７】
電気泳動層５３は、図５に示すように、多数のマイクロカプセル５３１が密集配置されることによって形成され、各マイクロカプセル５３１には、多数の帯電粒子が分散した電気泳動粒子分散液５３２がそれぞれ封入されている。電気泳動粒子分散液５３２には、互いに異なる極性に帯電した黒色の電気泳動粒子５３２Ｂ（以下、黒色粒子という）と、白色の電気泳動粒子５３２Ｗ（以下、白色粒子という）とが分散されている。本実施形態では、黒色粒子５３２Ｂがプラス（正）に帯電し、白色粒子５３２Ｗがマイナス（負）に帯電している。
【００２８】
すなわち、共通電極５２０がハイレベル電位（Ｈ電位）の場合、セグメント電極５１０がローレベル電位（Ｌ電位）のセグメント５５では、その電位差によって共通電極５２０からセグメント電極５１０に向かう電界が発生し、正に帯電した黒色粒子５３２Ｂがセグメント電極５１０側に移動するとともに、負に帯電した白色粒子５３２Ｗが共通電極５２０側に移動するので、当該セグメント５５は白色に視認される。セグメント電極５１０の電位が共通電極５２０の電位と等しいセグメント５５では、電界は発生せず、表示色は保持される。
【００２９】
一方、共通電極５２０をローレベル電位（Ｌ電位）に切り替えた場合、セグメント電極５１０がハイレベル電位（Ｈ電位）のセグメント５５では、逆向きの電界が発生し、正に帯電した白色粒子５３２Ｗがセグメント電極５１０側に移動するとともに、負に帯電した黒色粒子５３２Ｂが共通電極５２０側に移動するので、当該セグメント５５は黒色に視認される。なお、前述と同様に、セグメント電極５１０の電位が共通電極５２０の電位と等しいセグメント５５では、電界が発生せず、表示色は保持される。また、これらの場合において、電圧の印加時間や印加電圧などを調整し、黒色粒子５３２Ｂおよび白色粒子５３２Ｗの移動量を調整することで、各セグメント５５において、黒色と白色との間の中間色を表示することも可能となっている。
このようにして、各セグメント５５ごとの表示色を変化させることで、表示パネル５に画像を形成する。
【００３０】
〔４．中枠の構成〕
中枠４は、表示パネル５を安定した状態で略環状に設置するためのものである。中枠４は樹脂製である。この中枠４は、図２に示すように、周方向の一部が分断されて弾性変形可能に形成された中枠本体４１と、中枠本体４１の周方向の一端側に中枠本体４１と一体に形成されたホルダ収納部４２とから構成されている。
【００３１】
〔５．中枠本体の構成〕
図６は、中枠４の保持部４１１Ａ，４１１Ｂを示す拡大図である。
図６に示すように、ホルダ収納部４２が形成された中枠本体４１の一端側には、中枠本体４１の幅方向両端に沿って第１保持部４１１Ａが設けられている。第１保持部４１１Ａには、表示パネル５の先端側をスライド可能に保持するための一対の溝４１２が形成されている。なお、以降、表示パネル５の基端側とは、駆動回路部７が接続されている側を意味し、表示パネル５の先端側とは、駆動回路部７が接続されていない側を意味するものとする。
【００３２】
この中枠本体４１の一端側の端部には、前記第１保持部４１１Ａの先端を結ぶように、幅方向に沿ってパネル当接部４１３が立設されている。パネル当接部４１３は、表示パネル５を設置する際に表示パネル５の先端と当接し、表示パネル５を位置決めする。
また、中枠本体４１の他端側にも、表示パネル５の基端側をスライド可能に保持するための一対の溝４１２が形成された第２保持部４１１Ｂが設けられている。
【００３３】
中枠本体４１の外周におけるこれら保持部４１１Ａ，４１１Ｂの反対側には、図２に示すように、それぞれ、表示パネル５をガイドするためのガイド部４１４が設けられている。また、中枠本体４１には、ほぼ全周に亘って、当該中枠本体４１を補強するリブ４１５が設けられている。リブ４１５は、中枠本体４１と円筒部３１１との間に収納空間Ｘ（図８参照）を形成する。この収納空間Ｘには、駆動回路部７や、スイッチ基板９４を含んで構成される後述するボタン入力部９が配置される。
【００３４】
ホルダ収納部４２には、図６に示すように、電池ホルダ８１が中枠４の幅方向と平行な方向にスライド可能に収納されている。この電池ホルダ８１には図示しない一次電池が収納される。これら電池ホルダ８１および一次電池は、後述する電池収納部８を構成する。
ホルダ収納部４２と、第２保持部４１１Ｂが形成された中枠本体４１の他端側端部との間には、図６に示すように、表示モジュール２を挿通可能な大きさの隙間Ｓが形成されている。すなわち中枠４は、周方向の一部が分断されており、当該分断部分には表示モジュール２を挿通可能な隙間Ｓが形成されている。
【００３５】
ここで、表示パネル５は、前述したように、先端側が第１保持部４１１Ａに挟持され、基端側が第２保持部４１１Ｂに挟持されるほか、中央部分が中枠本体４１に取り付けられた両面テープＴ１（図７参照）により中枠本体４１に接着固定される。従って、表示パネル５を略筒状の中枠本体４１の外周面に沿って環状に設置することができる。また、略下面全面が中枠本体４１に当接するので、表示パネル５を安定した状態で設置することができる。
【００３６】
加えて、表示パネル５の両端部および中央部分のみを固定するので、固定することによって表示パネル５に加わる力を低減することができ、歪みを抑えることができる。
また、中央部分を両面テープＴ１で接着固定するので、中央部分を溝４１２を備えた保持部４１１Ａ，４１１Ｂで固定することに比べ、表示パネル５を押さえる力を低減することができ、より歪みを抑えることができる。
【００３７】
一方、表示モジュール２の第２保持部４１１Ｂによって挟持された部分より下の部分は、中枠４に形成された隙間Ｓの部分で折り返され、中枠本体４１下の収納空間Ｘ内に収納される。すなわち、本実施形態では、中枠４に隙間Ｓが形成されているので、製造ばらつきにより表示パネル５の長さが中枠本体４１の外周面よりも若干長くなってしまっても、その分を、中枠４に形成された隙間Ｓや、中枠本体４１下の収納空間Ｘ内に配置することができ、表示パネル５を中枠本体４１に、より密着させて設置することができる。
【００３８】
図７は、鍔部３１２側から見た時計１の側断面図、図８は、図７のＤ−Ｄ線矢視図である。
この際、駆動回路部７は、図８に示すように、中枠本体４１の内周面に両面テープＴ２によって貼り付けられる。なお、図８に示すように、フレーム３の円筒部３１１には、駆動回路部７等を保護するための絶縁シールＺが取り付けられている。
【００３９】
図９は、図７のＡ−Ａ線矢視図である。
中枠本体４１は、図２に示すように、鍔部側部材４１Ａと、裏蓋側部材４１Ｂとから構成されている。鍔部側部材４１Ａの内側には、図９に示すように、裏蓋側部材４１Ｂに向かって突出する接続用のピン４１６が複数形成されている。裏蓋側部材４１Ｂの内側において、接続用のピン４１６に対応する各位置には、穴４１７が形成されている。中枠本体４１は、これら各ピン４１６が各穴４１７に嵌め込まれ、鍔部側部材４１Ａと裏蓋側部材４１Ｂとが接続されることにより、組み立てられている。
【００４０】
図１０は、図７のＢ−Ｂ線矢視図である。
図２に示すように、裏蓋側部材４１Ｂの内周面において、フレーム３の円筒部３１１に形成された突出部３１３に対応する各位置には、当該突出部３１３を収納可能な溝４１８が設けられている。溝４１８は、中枠４の軸方向に沿って設けられている。
中枠４は、拡げられながらフレーム３の円筒部３１１に嵌め込まれた後に、図１０に示すように、各溝４１８に各突出部３１３が嵌め込まれることにより、位置決めされる。なお、溝４１８は、中枠４を拡げやすくする役割も果たしており、溝４１８が設けられていることにより、中枠４が円筒部３１１に嵌まり込みやすくなる。
【００４１】
〔６．ボタン入力部の構成〕
図１１は、図７のＣ−Ｃ線矢視図である。
図７に示すように、本実施形態の時計１には、当該時計１を制御するためのボタン入力部９が３つ設けられている。これら各ボタン入力部９は、図１１に示すように、操作ボタン９１と、アーム部９２と、タクトスイッチ９３と、支持壁４１９と、スイッチ基板９４とを備えている。
【００４２】
操作ボタン９１は、鍔部３１２の側面から外部に露出して配置され、フレーム３の内部に向かって突没可能に支持されている。操作ボタン９１のフレーム３内部側の端部は、アーム部９２と当接している。アーム部９２は、操作ボタン９１の突没状態の位置に合わせてフレーム３内をスライド可能に配置されている。
【００４３】
また、アーム部９２は、コイルバネ９５を有し、このコイルバネ９５によって操作ボタン９１を突出状態にする方向に付勢されている。このようにして、操作ボタン９１は、通常では突出状態に保持されている。アーム部９２の操作ボタン９１とは反対側の端部側には、スイッチ基板９４に半田付けされたタクトスイッチ９３が配置されている。タクトスイッチ９３は、中枠４に立設された支持壁４１９に、アーム部９２と対向する側とは反対側の端部を支持されている。スイッチ基板９４は、中枠４の内周面に両面テープＴ３によって貼り付けられている。
【００４４】
アーム部９２の先端は、操作ボタン９１が突出状態の際には、タクトスイッチ９３とは当接せず、操作ボタン９１が没入状態の際には、タクトスイッチ９３の方向に移動してタクトスイッチ９３を押圧する。この際、本実施形態では、中枠４に支持壁４１９が立設されているので、タクトスイッチ９３を支持壁４１９によって支持することができ、タクトスイッチ９３の半田付け部分にかかる負荷を低減することができる。これにより、タクトスイッチ９３がアーム部９２によって側方から繰り返し押圧されても、タクトスイッチ９３がスイッチ基板９４から剥がれ落ちてしまうことを防止できる。
【００４５】
スイッチ基板９４は、前述したように、駆動回路部７と配線部材Ｃ２によって接続されている。タクトスイッチ９３が押圧されると、スイッチ基板９４から入力信号が駆動回路部７に送られ、表示パネル５が制御される。
【００４６】
〔７．電池収納部の構成〕
電池収納部８は、一次電池を交換可能に保持するためのものである。この電池収納部８は、前述したように、電池ホルダ８１と、電池ホルダ８１に保持される図示しない一次電池とを備えている。
【００４７】
また、電池収納部８は、図７に示すように、電池ホルダ８１の外周面を覆って、一次電池の正極側を押さえる金属製の正極側押え部材８２と、一次電池と円筒部３１１との間に配置され、一次電池の負極側を押える金属製の負極側押え部材８３とを備えている。
これらによって構成される電池収納部８は、中枠４の幅方向と平行な方向にスライド可能にホルダ収納部４２に収納される。なお、正極側および負極側押え部材８２，８３は、それぞれ表示モジュール２の駆動回路部７と導線等によって接続され、各部に電力を供給する。
【００４８】
〔８．飾り板の構成〕
電池収納部８の外周側には、図７に示すように、当該電池収納部８、および中枠４に形成された隙間Ｓを覆うための円弧状の飾り板５０が設置されている（図９、図１０参照）。飾り板５０の表面には、装飾が施されている。本実施形態では、この飾り板５０により、電池収納部８および中枠４に形成された隙間Ｓを隠すことができ、良好な外観を得ることができるようになっている。
【００４９】
〔９．時計の組立方法〕
次に、時計１の組立方法について説明する。
まず、表示モジュール２を中枠４に取り付ける。具体的には、表示パネル５の先端を、中枠４の第２保持部４１１Ｂの溝４１２に通した後に、第１保持部４１１Ａの溝４１２に差し込み、当該表示パネル５の先端をパネル当接部４１３に当接させて、中枠４に対する表示パネル５の位置決めを行う。次に、表示パネル５の中央部分を、中枠本体４１の中央部分に予め取り付けられていた両面テープＴ１に押し付け、表示パネル５の中央部分を中枠本体４１に接着させる。
【００５０】
次に、中枠４の隙間Ｓに、配線部材Ｃ１や、製造ばらつきなどによって表示パネル５の長さが中枠本体４１の外周の長さよりも若干長く形成されていた場合には、その余った部分を通し、それらを当該隙間Ｓで折り返し、駆動回路部７を中枠４の内周面に両面テープＴ２で貼り付ける。また、スイッチ基板９４を中枠４の内周面に両面テープＴ３で貼り付ける。このようにして、表示モジュール２を中枠４に取り付ける。
【００５１】
次いで、一次電池が収納された電池収納部８を、中枠４のホルダ収納部４２に取り付ける。
これら表示モジュール２および電池収納部８を中枠４に取り付けた後、今度は、中枠４を拡げながらフレーム３の円筒部３１１に嵌め込み、中枠４の内周面に設けられた溝４１８に、円筒部３１１に形成された突出部３１３を嵌め込んで、当該中枠４のフレーム３に対する位置決めを行う。
【００５２】
続いて、電池収納部８、および中枠４に形成された隙間Ｓを隠すための飾り板５０を、電池収納部８の外周側に配置し、表示モジュール２および当該飾り板５０の外側に、カバーガラス６を嵌め込む。そして最後に、裏蓋３２を胴３１にねじ止めすることで、組立が完了する。
【００５３】
〔１０．本実施形態による効果〕
本実施形態によれば、次のような効果がある。
（１）表示パネル５は、略円筒状の中枠本体４１の外周面に沿って設置され、略下面全面が中枠本体４１に当接するので、表示パネル５を安定した状態、かつ環状に設置することができる。また、表示パネル５の略下面全面が中枠本体４１に当接するので、両端部および中央部分のみの固定で表示パネル５を安定した状態に設置することができ、固定部分を少なくすることができる。従って、歪みを抑えることができ、画質の劣化を防止できる。具体的には、両端部および中央部分のみを固定し、両端部および中央部分の間の部分を自由な状態にするので、両端部および中央部分を固定することにより、これらの間に例えば圧縮力がかかった場合、両端部および中央部分の間が撓むことができ、歪みを抑えることができる。ここで、表示パネル５の両端部のみを固定した場合には、復元力のため、表示パネル５の特に中央部分が中枠本体４１から離れやすいが、本実施形態では、両端部に加えて表示パネル５の中央部分も固定するので、表示パネル５を中枠本体４１に十分に密着させて設置することができ、より安定した状態で表示パネル５を設置することができる
【００５４】
（２）表示パネル５の中央部分を両面テープＴ１で接着固定するので、当該中央部分を溝を備えた保持部で固定することに比べ、表示パネル５を押さえる力を低減することができ、歪みをより抑えることができる。また、表示パネル５の先端を溝に通す必要がないので、表示パネル５の設置が容易になる。
【００５５】
（３）中枠本体４１の外周における保持部４１１Ａ，４１１Ｂの反対側には、それぞれ、表示パネル５をガイドするためのガイド部４１４が設けられているので、表示パネル５のガタを良好に抑えることができ、表示パネル５を一層安定した状態で設置することができる。
【００５６】
（４）中枠４には、表示パネル５を差し込み可能な大きさの隙間Ｓが形成されているので、製造ばらつきにより、表示パネル５の長さが中枠本体４１の外周の長さより若干長くなってしまっても、その分を、当該隙間Ｓ部分や中枠本体４１下に配置することができ、表示パネル５をより中枠本体４１に密着させて設置することができる。
【００５７】
（５）中枠本体４１の周方向の一方の端部には、当該中枠本体４１の幅方向に沿ってパネル当接部４１３が立設されているので、このパネル当接部４１３に表示パネル５の先端を突き当てることで、容易に表示パネル５を位置決めすることができる。
【００５８】
（６）中枠４は、周方向の一部が分断されて弾性変形可能に形成され、分断部分の隙間を拡げることが可能となっているので、製造等でのばらつきにより、中枠４と円筒部３１１との嵌め合いがきつくなってしまっても、中枠４を容易に円筒部３１１に嵌め込むことができる。従って、無理やり中枠４を円筒部３１１に嵌め込むことにより、中枠４が割れてしまうことを防止できる。また、中枠４を無理やり円筒部３１１に嵌め込むことによって、中枠４、ひいては表示パネル５に歪みが生じてしまうこと防止できる。
加えて、中枠４は、周方向の一部が分断されて弾性変形可能に形成されているので、時計１の落下等により加わる衝撃や振動を吸収することができ、衝撃や振動による表示パネル５への影響を抑制することができる。
【００５９】
（７）中枠本体４１の内周面において、円筒部３１１の突出部３１３に対応した位置には、突出部３１３を収納可能な溝４１８が設けられているので、この溝４１８に突出部３１３を嵌め込むことで、容易にフレーム３に対する中枠４、ひいては表示パネル５の位置決めを行うことができる。
また、中枠４の内周面に溝４１８が設けられているので、中枠４が拡げやすくなり、一層円筒部３１１に嵌め込みやすくなる。
【００６０】
（８）円筒部３１１と鍔部３１２とが一体的に形成されているとともに、突出部３１３が中枠４を位置決めする役割と裏蓋３２を固定する役割の両方の役割を果たしているので、構成を簡素化できる。
【００６１】
〔１１．本発明の変形例〕
なお、本発明は前述の実施形態に限定されるものではなく、本発明の目的を達成できる範囲での変形、改良等は本発明に含まれるものである。
【００６２】
前記実施形態では、中枠４は、周方向の一部が分断されて弾性変形可能に形成されていたが、中枠は分断されていなくてもよい。
また、中枠が分断されていない場合には、中枠にスリットを設け、表示パネル５の余った部分を、当該スリット部分や、中枠と円筒部３１１との間に配置するように構成してもよい。
【００６３】
また、中枠が分断されていない場合には、中枠の内周面において、円筒部３１１の突出部３１３に対応した各位置に、突出部３１３を収納可能な、かつ中枠の内周面の端から端に亘る溝を形成し、当該溝を突出部３１３に合わせた後に、中枠を鍔部３１２側にスライドさせることにより、中枠を円筒部３１１に嵌め込んでもよい。
【００６４】
前記実施形態では、突出部３１３は、円筒部３１１の端部に形成され、位置決めの役割と、裏蓋３２を固定する役割とを果たしていたが、突出部は、位置決めの役割だけを果たしていてもよく、その場合、突出部は、円筒部外周の適宜の位置に設けられていればよい。また、突出部は、設けられていなくてもよい。
【００６５】
前記実施形態では、フレーム３は、断面Ｌ字形の胴３１と、裏蓋３２との２部材によって構成されていたが、胴を構成する円筒部と鍔部とが個別に製造され、フレームが円筒部と鍔部と裏蓋との３部品から構成されていてもよい。
【００６６】
前記実施形態では、電池収納部８は、中枠本体４１の端部間に配置されていたが、電池収納部は、中枠と円筒部との間に配置されていてもよい。
前記実施形態では、筒部（円筒部３１１）は円筒状に形成されていたが、多角筒状に形成されていてもよい。
【００６７】
前記実施形態では、表示パネル５は、その両端が一対の溝４１２を備えた保持部４１１Ａ，４１１Ｂによって固定され、中央部分が両面テープＴ１によって固定されていたが、中央部分も、一対の溝を備えた保持部によって固定されていてもよい。また、表示パネル５は、両端部と中央部分とが固定されることに限定されず、複数個所が固定されていてもよい。
表示パネル５は、接着剤によって中枠４に接着固定されていてもよい。
【００６８】
前記実施形態では、透光部材としてカバーガラス６を採用していたが、透光部材としては、少なくとも表示パネルの表示を視認できるものであればよく、透光性を有した樹脂製のカバーでもよい。また、透光性を有していれば色付きのものでもよい。
【００６９】
前記実施形態では、表示パネルとして電気泳動表示パネルを例にして説明したが、本発明の表示パネルとしては、例えば、有機ＥＬパネル等でもよい。要するに、可撓性を有した帯状の表示パネルであればよい。
前記実施形態では、電池として一次電池を例にして説明したが、電池として二次電池を採用してもよい。この場合、充電方式としては、通常よく行われているように、充電用の端子をフレームに設けることも可能であるが、電磁誘導等の方式で無線にて電力を供給するように構成することも可能である。
【００７０】
前記実施形態では、時計を例にして説明したが、本発明では、例えば、携帯電話、ディジタルカメラ、ＰＤＡ（Personal Digital Assistants ）等でもよい。要するに、時刻表示に限らず各種情報を表示するという機能を発揮できる表示装置であればよい。また、表示装置としては、腕等に装着して利用されるものに限らず、任意の場所に置いて使用するものであっても、鎖等で壁等に吊り下げて使用するものでもよい。
【００７１】
なお、本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、数量、その他の詳細な構成において、当業者が様々な変形を加えることができるものである。
従って、上記に開示した形状、数量などを限定した記載は、本発明の理解を容易にするために例示的に記載したものであり、本発明を限定するものではないから、それらの形状、数量などの限定の一部もしくは全部の限定を外した部材の名称での記載は、本発明に含まれるものである。
【図面の簡単な説明】
【００７２】
【図１】本発明の第１実施形態に係る表示装置としての時計を示す斜視図。
【図２】前記実施形態における時計の斜視図。
【図３】前記実施形態における表示モジュールの平面図。
【図４】前記実施形態における表示モジュールの縦断面図。
【図５】前記実施形態における表示パネルの構成を示す模式図。
【図６】前記実施形態における中枠の保持部を示す拡大図。
【図７】前記実施形態における鍔部側から見た時計の側断面図。
【図８】図７のＤ−Ｄ線矢視図。
【図９】図７のＡ−Ａ線矢視図。
【図１０】図７のＢ−Ｂ線矢視図。
【図１１】図７のＣ−Ｃ線矢視図。
【符号の説明】
【００７３】
１…時計（表示装置）、３…フレーム、４…中枠、５…電気泳動表示パネル（表示パネル）、６…カバーガラス（透光部材）、３１…胴、３２…裏蓋（蓋部材）、３１１…円筒部（筒部）、３１２…鍔部、３１３…突出部、３１４…ねじ孔（ねじ穴）、３２１…孔、４１１Ａ…第１保持部（保持部）、４１１Ｂ…第２保持部（保持部）、４１２…溝（保持部に形成された溝）、４１３…パネル当接部、４１８…溝（中枠の内周面に設けられた溝）、Ｓ…隙間。
【図２】
2008191256.tif 000003
【図３】
2008191256.tif 000004
【図４】
2008191256.tif 000005
【図５】
2008191256.tif 000006
【図６】
2008191256.tif 000007
【図７】
2008191256.tif 000008
【図８】
2008191256.tif 000009
【図９】
2008191256.tif 000010
【図１０】
2008191256.tif 000011
【図１１】
2008191256.tif 000012
【図１】
2008191256.tif 000013